【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
タスク実行場所特定仲介システムであって、
複数の販売者と関連のある位置情報を格納するメモリー・エリアと、
プロセッサーと、
を含み、前記プロセッサーが、
複数の購入者のうちの１人からタスク要求を受け、前記受けられたタスク要求が、前記複数の購入者の内の前記１人によって明示されたタスクと、タスク指定地と、タスクの時刻と、前記タスクの実行に伴う報酬とを特定し、
前記メモリー・エリアに格納されている前記位置情報に少なくとも基づいて、前記複数の販売者のうちの少なくとも１人を選択し、
前記複数の販売者のうちの前記少なくとも１人に、前記受けられたタスク要求を割り当て、前記複数の販売者のうちの前記少なくとも１人が、出力を生成するために、前記タスク指定地において前記タスクの時刻に前記タスクを実行し、
前記複数の販売者のうちの前記少なくとも１人による前記タスクの実行の証明であって、前記タスクが前記受けられたタスク要求におけるとおりに前記タスク指定地と前記タスクの時刻において実行されたことを検証するのに用いられるデータを含む実行の証明を受け、
前記実行の証明を受けたことに応答して、前記生成された出力を前記複数の購入者の内の前記１人に供給し、
前記実行の証明を受けたことに応答して、前記複数の販売者のうちの前記少なくとも１人に、前記報酬を与える、
ようにプログラミングされ、前記複数の販売者のうちの少なくとも１人を選択すること、前記受けられたタスク要求を割り当てること、前記タスクの実行の証明を受けること、及び前記報酬を与えることが、ユーザーから隠される、システム。
【請求項２】
請求項１記載のシステムにおいて、前記位置情報が、前記販売者と関連のある場所および対応する時刻を特定する、システム。
【請求項３】
請求項１記載のシステムにおいて、前記報酬が、前記複数の購入者の内前記１人が支払ってもかまわない最高金額に対応し、前記プロセッサーが、オークションを実施することによって、前記複数の販売者から前記少なくとも１人を選択するようにプログラミングされている、システム。
【請求項４】
請求項１記載のシステムにおいて、前記タスク要求が規準を規定し、前記プロセッサーが、
前記複数の販売者から、前記タスク規準を満たす１人又は複数を特定し、
前記受けたタスク要求を、前記特定した販売者にブロードキャストし、
前記特定した販売者の少なくとも１人から、タスク受入の通知を受け取り、
前記特定された販売者の内、前記タスクを受け入れた少なくとも１人に、前記受けたタスク要求を割り当てる、
ようにプログラミングされている、システム。
【請求項５】
請求項１記載のシステムにおいて、前記プロセッサーが、前記タスク指定地を、前記メモリー・エリアにおける前記位置情報と照合することによって、前記複数の販売者から前記少なくとも１人を選択するようにプログラミングされている、システム。
【請求項６】
請求項１記載のシステムにおいて、前記複数の購入者の内の前記１人は、前記タスクをユーザーから受けたアプリケーション・プログラムであり、前記プロセッサーが、
前記複数の販売者に通知を送り、この通知が、少なくとも前記タスク、タスク指定地、およびタスクの時刻を特定し、
前記複数の販売者から、前記タスクを実行するための１つ又は複数の入札を受け、
前記受けた入札から少なくとも１つを選択すること、
によって、前記複数の販売者から前記少なくとも１人を選択するように構成されており、
前記プロセッサーが、前記生成した出力を前記アプリケーション・プログラムに供給するようにプログラミングされており、前記アプリケーション・プログラムが、前記生成した出力をユーザーに供給する、システム。
【請求項７】
請求項１記載のシステムであって、更に、
前記タスク要求を明示する手段と、
前記複数の販売者から前記少なくとも１人を選択する手段と、
前記受けたタスク要求を、前記複数の販売者からの前記少なくとも１人に割り当てる手段と、
前記複数の販売者からの前記少なくとも１人による前記タスクの実行の前記証明を受ける手段と、
前記複数の販売者からの前記少なくとも１人に、前記報酬を与える手段と、
を備えている、システム。
【請求項８】
プロセッサーによって、複数の販売者についての位置情報を維持するステップであって、前記位置情報が、前記複数の販売者に対応する場所を特定する、ステップと、
前記プロセッサーによって、メモリー・エリアに、前記複数の販売者によって実行するタスクを格納するステップであって、前記タスクが、１人又は複数の購入者によって明示され受け取られる、ステップと、
前記プロセッサーによって、少なくとも前記位置情報に基づいて、前記格納されているタスクを、前記複数の販売者の内１人又は複数に割り当てるステップであって、前記複数の販売者の内前記１人又は複数が、出力を生成するために、前記割り当てられたタスクを実行する、ステップと、
前記複数の販売者の内前記１人又は複数による前記割り当てられたタスクの実行を、それに対応する場所において検証するステップと、
前記実行を検証したステップに応答して、前記生成した出力を前記１人又は複数の購入者に供給するステップと、
を備え、前記維持、前記割り当て、前記検証がユーザーから隠される、方法。
【請求項９】
請求項８記載の方法であって、更に、前記複数の販売者の各々について、フィードバック・スコアを決定するステップを備えており、前記格納されているタスクを割り当てるステップが、前記決定されたフィードバック・スコアに基づいて、前記格納されているタスクを割り当てるステップを含む、方法。
【請求項１０】
請求項８記載の方法において、前記タスクを格納するステップが、タスクの説明、タスク指定地、タスクの時刻、およびこのタスクの実行に伴う報酬の内１つ又は複数を格納するステップを含む、方法。
【請求項１１】
請求項１０記載の方法において、前記タスクの１つ又は複数が、商品品目を入手することに対応し、更に、
前記タスクの内前記１つ又は複数のタスク指定地およびタスク時刻を、対応する商品品目と関連付けるステップと、
前記商品品目を検索する要求を受けるステップであって、前記受けられた要求が、要求の場所を含む、ステップと、
前記要求の場所に基づいて且つ前記要求を受けたことに応答して、前記商品品目を検索するステップと、
を備えている、方法。
【請求項１２】
請求項１０記載の方法であって、更に、
前記複数の販売者の内の前記１人又は複数、前記タスクの説明、前記タスク指定地、前記タスク時刻、前記タスクの実行に伴う報酬、および前記１人又は複数の購入者の内１つ又は複数に基づいて、前記割り当てられたタスクに対して広告を選択するステップと、
前記選択した広告を、前記１人又は複数の購入者に供給するステップと、
を備えている、方法。
【請求項１３】
請求項８記載の方法において、前記複数の販売者について維持されている位置情報が、前記複数の販売者の現在地を含み、更に、前記複数の販売者の現在地を特定する地図を作成するステップを備えている、方法。
【請求項１４】
請求項８記載の方法において、前記１人又は複数の購入者が、アプリケーション・プログラムを含み、前記格納されたタスクが、ビデオ・データの取り込みを含み、前記生成した出力を供給するステップが、前記取り込んだビデオ・データを共有するステップを含む、方法。
【請求項１５】
請求項８記載の方法において、１つ又は複数のコンピューター読み取り可能媒体が、コンピューター実行可能コンポーネントを有し、これらのコンポーネントが、
少なくとも１つのプロセッサーによって実行すると、この少なく主１つのプロセッサーに、複数の販売者によって実行するタスクを格納させる、メモリー・コンポーネントであって、前記タスクが１人又は複数の購入者によって明示され受け取られる、メモリー・コンポーネントと、
少なくとも１つのプロセッサーによって実行すると、この少なくとも１つのプロセッサーに、前記タスクの内少なくとも１つを公開させ、この公開されたタスクに対する前記複数の販売者の内１人又は複数からの申し込みを受けさせる、申込コンポーネントと、
少なくとも１つのプロセッサーによって実行すると、この少なくとも１つのプロセッサーに、少なくとも前記複数の販売者についての位置情報を維持させ、少なくとも前記複数の販売者が地理的に移動するにつれて前記位置情報を更新させる、追跡コンポーネントと、
少なくとも１つのプロセッサーによって実行すると、この少なくとも１つのプロセッサーに、前記追跡コンポーネントによって維持されている前記更新された位置情報と前記申込コンポーネントによって受け取られた前記申し込みとに基づいて、前記複数の販売者に前記タスクを割り当てさせる照合コンポーネントと、
少なくとも１つのプロセッサーによって実行すると、この少なくとも１つのプロセッサーに、前記更新された位置情報を用いて前記複数の販売者の位置を確認することによって前記複数の販売者による前記タスクの実行を検証させる証明コンポーネントと、
を備え、前記申込コンポーネント、前記追跡コンポーネント、前記照合コンポーネント、及び前記証明コンポーネントの実行はユーザーから隠される、方法。